(57)【要約】【課題】軽量化・小型化を図り、適度なフリクショントルクを発生させることができるヒンジを提供すること。【解決手段】第一の部材１０１と、スプリングピン１０２と、第二の部材１０３と、を備え、第一の部材１０１の軸部材１０４の外周面と第二の部材１０３の軸ケース１１０の内周面とでスピリングピン１０２を挟み込むように、軸部材１０４とスピリングピン１０２を軸ケース１１０の内部空間に挿入することにより、軸ケース１１０の内周面とスピリングピン１０２の外周面との間、又は、軸部材１０４の外周面とスピリングピン１０２の内周面との間に摩擦力が生ずるようにしたことを特徴とするヒンジ１００を提供する。【選択図】  図１
2004225780.tif 000002
【特許請求の範囲】
【請求項１】
円柱形の軸部材と、前記軸部材の長手方向において前記軸部材と連続して形成された第一の支持部と、を有する第一の部材と、
長手方向にスリットが入れられた円筒形のスピリングピンと、
前記軸部材を前記スピリングピンに挿入した状態で、前記スピリングピンを内部に納めることができる円柱状の内部空間を有する軸ケースと、前記軸ケースの長手方向において前記軸ケースと連続して形成された第二の支持部と、を有する第二の部材と、を備え、
前記第一の支持部を第一の本体に取り付け、前記第二の支持部を第二の本体に取り付けることで、前記第一の本体と前記第二の本体とを回動自在に結合することができるようにしたヒンジであって、
前記軸部材の外周面と前記軸ケースの内周面とで前記スピリングピンを挟み込むように、前記軸部材と前記スピリングピンを前記内部空間に挿入することにより、前記軸ケースの内周面と前記スピリングピンの外周面との間、又は、前記軸部材の外周面と前記スピリングピンの内周面との間に摩擦力が生ずるようにすることで、前記第一の部材と前記第二の部材とを任意の角度を保ったまま静止させておくことができるようにしたヒンジ。
【請求項２】
前記軸ケースの内周面、前記スピリングピンの外周面、前記スピリングピンの外周面又は前記軸部材の外周面の内、少なくとも何れか一つには、潤滑剤を溜めておくための溝が形成されていることを特徴とする請求項１に記載のヒンジ。
【請求項３】
請求項１又は２に記載のヒンジによって、ディスプレイ本体とキーボード本体とを結合させたことを特徴とするラップトップ型パーソナルコンピューター。
【発明の詳細な説明】
【０００１】
【発明の属する技術分野】
本発明は、ヒンジに関する。
【０００２】
【従来の技術】
ラップトップ型のパーソナルコンピューターにおいて、ディスプレイ本体とキーボード本体とを結合させるために使用されるヒンジは、キーボード本体に対して、ディスプレイ本体を所定の角度に開いた状態で使用することができるようにするため、単に開閉するだけでなく、必要な程度でフリクショントルクが発生するようにされている。
【０００３】
このようなヒンジとして、従来は、例えば、特表２０００−５０１１４９号公報に記載されているものが使用されている。
【０００４】
特表２０００−５０１１４９号公報に記載されているヒンジ３００は、図６に表されているように、軸となるシャフト３０１と、シャフト３０１を加圧するアーム部３０２を有するクリップ部材３０３を複数設けることにより、適度にフリクショントルクを発生させるようにされていた。
【０００５】
【特許文献１】
特表２０００−５０１１４９号公報。
【０００６】
【発明が解決しようとする課題】
しかしながら、特表２０００−５０１１４９号公報に記載されたヒンジ２００では、部品点数が多く複雑であるため、軽量化・小型化することが困難であった。
【０００７】
そこで、本発明は、部品点数を減らし、軽量化・小型化を図ることができると共に、適度なフリクショントルクを発生させることができるヒンジを提供することを目的とする。
【０００８】
【課題を解決するための手段】
以上の課題を解決するため、本発明は、円柱形の軸部材と、前記軸部材の長手方向において前記軸部材と連続して形成された第一の支持部と、を有する第一の部材と、長手方向にスリットが入れられた円筒形のスピリングピンと、前記軸部材を前記スピリングピンに挿入した状態で、前記スピリングピンを内部に納めることができる円柱状の内部空間を有する軸ケースと、前記軸ケースの長手方向において前記軸ケースと連続して形成された第二の支持部と、を有する第二の部材と、を備え、前記第一の支持部を第一の本体に取り付け、前記第二の支持部を第二の本体に取り付けることで、前記第一の本体と前記第二の本体とを回動自在に結合することができるようにしたヒンジであって、前記軸部材の外周面と前記軸ケースの内周面とで前記スピリングピンを挟み込むように、前記軸部材と前記スピリングピンを前記内部空間に挿入することにより、前記軸ケースの内周面と前記スピリングピンの外周面との間、又は、前記軸部材の外周面と前記スピリングピンの内周面との間に摩擦力が生ずるようにすることで、前記第一の部材と前記第二の部材とを任意の角度を保ったまま静止させておくことができるようにしたヒンジを提供する。
【０００９】
第一の部材は、一方向に突出する円柱形の軸部材と、この軸部材の長手方向においてこの軸部材と連続して形成された第一の支持部と、を有している。
【００１０】
軸部材は、回転する際に後述するスピリングピンの内周面との間で摩擦力が生ずるように、スピリングピンの内周面と接触するような大きさの円柱状に形成されている。
【００１１】
スピリングピンには、長手方向にスリットが入れられている。
【００１２】
これは、スリットを入れておくことにより、弾性を持たせるためである。
【００１３】
また、スピリングピンは軸部材の外周面と後述する軸ケースの内周面との間に挟み込み、これらの両面と接触するような大きさ・厚さの円筒形に形成されている。
【００１４】
第二の部材は、軸ケースと、この軸ケースの長手方向においてこの軸ケースと連続して形成された第二の支持部により構成されている。
【００１５】
軸ケースには、軸部材をスピリングピンに挿入した状態で、このスピリングピンを内部に納めることができるように円柱状の内部空間が形成されている。
【００１６】
すなわち、円柱状の軸部材に円筒状のスピリングピンを被せた状態で、軸ケースの内部に収納することができるような円柱状の内部空間を形成し、スピリングピンの外周面と軸ケースの内周面とが接触するようにしている。
【００１７】
そして、これらの第一の部材、スピリングピン及び第二の部材は、第一の部材の第一の支持部を第一の本体に取り付け、第二の部材の第二の支持部を第二の本体に取り付けることで、これらの第一の本体と第二の本体とを回動自在に結合することができるようされている。
【００１８】
この際、軸部材の外周面と軸ケースの内周面とでスピリングピンを挟み込むように、軸部材とスピリングピンを軸ケースの内部空間に挿入することにより、これらの軸ケースの内周面とスピリングピンの外周面との間、又は、軸部材の外周面とスピリングピンの内周面との間に摩擦力が生ずるようにしている。
【００１９】
このようにして、摩擦力が生ずるようにすることで、第一の部材と第二の部材とが、任意の角度を保った状態で静止させておくことができる。
【００２０】
ここで、軸ケースの内周面、スピリングピンの外周面、スピリングピンの外周面又は軸部材の外周面の内、少なくとも何れか一つには、潤滑剤を溜めておくための溝を形成しておくことで、第一の部材と第二の部材を回動させる際に、円滑に回動させることができるようになる。
【００２１】
なお、溝の形状については、断面が円弧状、台形状等潤滑剤を溜めておくことができる範囲で適時選択することができる。
【００２２】
また、上述したヒンジによって、ラップトップ型パーソナルコンピューターのディスプレイ本体とキーボード本体とを結合させることもでき、その他、ポータブルＤＶＤプレーヤーや折り畳み式の携帯電話等にも使用することができる。
【００２３】
【発明の実施の形態】
図１は、本発明の一実施形態に係るヒンジ１００の分解正面図である。
【００２４】
ヒンジ１００は、第一の部材１０１、スプリングピン１０２及び第二の部材１０３により構成されている。
【００２５】
第一の部材１０１は、軸部材１０４と、第一の支持部１０５と、により構成されている。
【００２６】
図２に表されているように、軸部材１０４は、縦断面が円形の円柱状の形状を有しており、その直径Ａは、円筒形のスプリングピン１０２の内径Ｂとほぼ同じくなるように形成することで、この軸部材１０４をスプリングピン１０２の中に挿入した際に、軸部材１０４の外周面とスプリングピン１０２の内周面とが接触し、軸部材１０４を回転させたときに、これらの面同士の間で摩擦力が生ずるようにされている。
【００２７】
また、図２に表されているように、第一の部材１０１を構成している第一の支持部１０５は、平板状に形成されており、この第一の部材１０１を例えば、ラップトップ型パーソナルコンピューターのディスプレイ本体等にネジで取り付けるためのネジ穴１０６が設けられている。
【００２８】
図３に表されているように、スプリングピン１０２は、縦断面がほぼＣ字状になるような円筒形の形状に形成されている。
【００２９】
上述のように、スプリングピン１０２には、軸部材１０４を挿入することができるように貫通孔１０８が設けられており、その内径Ｂは、軸部材１０４の直径Ａとほぼ等しくなるように形成されている。
【００３０】
また、スプリングピン１０２は、バネ鋼により構成されており、さらに、長さ方向に波形のスリット１０９が設けられているため、このスプリングピン１０２は、その中心軸に対して垂直な方向に対して弾性を有することになる。
【００３１】
さらに、スプリングピン１０２の長さＤは、第一の部材１０１の軸部材１０４の長さＣと同じにされており、この軸部材１０４の全体をその内部の納めることができるようにされている。
【００３２】
第二の部材１０３は、軸ケース１１０と、第二の支持部１１１と、により構成されている。
【００３３】
軸ケース１１０には、図４に表されているように、スプリングピン１０２を収納することができる円柱状の内部空間１１２が形成されている。
【００３４】
即ち、円柱状に形成されている内部空間１１２の直径Ｅは、スプリングピン１０２の外経Ｆとほぼ同一に形成されており、また、内部空間１１２の長さＧもスプリングピン１０２の長さＤとほぼ同一にされている。
【００３５】
なお、軸ケース１１０については、図５に表されている軸ケース２１０ように、内周面２１０ａに断面が円弧状の溝２１３をラセン状に形成することもできる。
【００３６】
このような溝２１３を設けておくことにより、グリス等の潤滑剤をこの溝２１３の内部に溜めておくことができ、軸ケース２１０とスプリングピン１０２との動きが円滑に行われることとなる。
【００３７】
なお、ここでは、軸ケース２１０の内周面２１０ａに溝２１３を形成したが、これに限定されるわけではなく、軸１０４の外周面１０４ａや、スピリングピン１０２の内周面１０２ａ又は外周面１０２ｂに溝を設けることも可能である。
【００３８】
第二の部材１０３を構成している第二の支持部１１１は、図４に表されているように、平板状に形成されており、例えば、ラップトップ型パーソナルコンピューターのキーボード本体等にネジで取り付けるためのネジ穴１０６が形成されている。
【００３９】
以上のように、第一の部材１０１、スプリングピン１０２及び第二の部材１０３を構成したので、第一の部材１０１の軸部材１０４にスプリングピン１０２を被せて、第二の部材１０３の軸ケース１１０の内部空間１１２に挿入することができるようになり、図６に示すように、第一の部材１０１と第二の部材１０３を、Ｘ−Ｘ’及びＹ−Ｙ’方向に回動させることができるようになる。
【００４０】
また、軸部材１０４の直径Ａとスプリングピン１０２の内径Ｂとはほぼ同一となるように、また、スプリングピン１０２の外径Ｆと軸ケース１１０の内部空間１１２の直径Ｅとはほぼ同一なるように、構成されているため、第一の部材１０１と第二の部材１０３とを回動させた際には、軸ケース１１０の内周面とスピリングピン１０２の外周面との間、又は、軸部材１０４の外周面とスピリングピン１０２の内周面との間に摩擦力が生ずることになる。
【００４１】
このような摩擦力が生ずるようにすることで、例えば、このヒンジ１００をラップトップ型パーソナルコンピューターに使用し、キーボード本体とディスプレイ本体とを結合させた際には、キーボード本体とディスプレイ本体とを回動自在にすることができる他、キーボード本体とディスプレイ本体とが所定の角度となるような状態で保持することができるようになる。
【００４２】
なお、この摩擦力の大きさは、第一の部材１０１、スプリングピン１０２及び第二の部材１０３を形成する材質、これらが接触する面の面積及び粗さ、これらの接触面への垂直効力の大きさ等により変化するが、どの程度の摩擦力が生ずるようにするかは、このヒンジをどのような物又は用途に使用するかにより適時選択することができる。
【００４３】
【発明の効果】
以上のように本発明を構成したので、部品点数を減らし、軽量化・小型化を図ることができると共に、適度なフリクショントルクを発生させることができるヒンジを提供することができる。
【図面の簡単な説明】
【図１】一実施形態に係るヒンジ１００の分解正面図。
【図２】第一の部材１０１の上方斜視図。
【図３】スプリングピン１０２の上方斜視図。
【図４】第二の部材１０３の上方斜視図。
【図５】第二の部材１０３の変形例。
【図６】ヒンジ１００を組み立てた際の正面図。
【図７】従来のヒンジ３００の上方斜視図。
【符号の説明】
１００  ヒンジ
１０１  第一の部材
１０２  スプリングピン
１０３、２０３  第二の部材
１０４  軸部材
１０５  第一の支持部
１０６  ネジ穴
１０９  スリット
１１０、２１０  軸ケース
１１１  第二の支持部
１１２  内部空間
２１３  溝
【図１】
2004225780.tif 000003
【図２】
2004225780.tif 000004
【図３】
2004225780.tif 000005
【図４】
2004225780.tif 000006
【図５】
2004225780.tif 000007
【図６】
2004225780.tif 000008
【図７】
2004225780.tif 000009